(57)【要約】【課題】本発明は、読み取り画像の外部メモリへの書き出しを適切に制御してデータの機密保護を図る画像読み取り装置、読み取りデータ機密制御プログラム及び記録媒体に関する。【解決手段】複合装置１は、スキャナエンジン７で読み取った原稿の画像データをＵＳＢホスト制御部１５に接続されているＵＳＢメモリに転送して格納するスキャンｔｏＵＳＢメモリ処理機能の利用の許可／不許可を、ＵＳＢホスト制御部１５に接続されているＵＳＢメモリが、ＮＶＲＡＭ６のＵＳＢメモリ識別情報記憶テーブルに該スキャンｔｏＵＳＢメモリ処理機能の利用を許可するＵＳＢメモリとして前もって登録されているＵＳＢメモリであるか否かに基づいて制御する。【選択図】          図１
2008263289.tif 000002
【特許請求の範囲】
【請求項１】
原稿の画像を読み取って読み取り画像データを出力する読み取り手段と、接続及び切り離し可能に外部メモリの接続される外部メモリ接続手段と、を備え、該読み取り手段の読み取った原稿の画像データを該外部メモリ接続手段に接続されている該外部メモリに転送して格納する読み取り−外部メモリ処理機能を有する画像読み取り装置において、前記読み取り−外部メモリ処理機能の利用を許可／不許可する外部メモリの登録される外部メモリ登録手段と、前記外部メモリ接続手段に接続されている前記外部メモリが該外部メモリ登録手段に登録されているか否かに基づいて前記読み取り−外部メモリ処理機能の利用の許可／不許可を制御する制御手段と、を備えていることを特徴とする画像読み取り装置。
【請求項２】
前記画像読み取り装置は、前記読み取り−外部メモリ処理機能の利用を許可／不許可するユーザを登録するユーザ登録手段を備え、前記制御手段は、該読み取り−外部メモリ処理機能を利用するユーザが該ユーザ登録手段に登録されているか否かに基づいて該読み取り−外部メモリ処理機能の利用の許可／不許可を制御することを特徴とする請求項１記載の画像読み取り装置。
【請求項３】
前記制御手段は、前記読み取り−外部メモリ処理機能において、前記外部メモリの前記ユーザを識別可能な名称のディレクトリに前記画像データを格納することを特徴とする請求項２記載の画像読み取り装置。
【請求項４】
前記外部メモリ登録手段は、前記外部メモリを識別する識別情報が登録され、前記外部メモリ接続手段は、前記接続された外部メモリから該外部メモリを識別する識別情報を取得し、前記制御手段は、該外部メモリ接続手段の取得した識別情報と該外部メモリ登録手段に登録されている識別情報が一致するか否かに基づいて前記読み取り−外部メモリ処理機能の利用の許可／不許可を制御することを特徴とする請求項１から請求項３のいずれかに記載の画像読み取り装置。
【請求項５】
前記画像読み取り装置は、前記外部メモリ接続手段に接続されている前記外部メモリから前記外部メモリの識別情報を取得して前記外部メモリ登録手段に登録する登録制御手段を備えていることを特徴とする請求項４記載の画像読み取り装置。
【請求項６】
前記画像読み取り装置は、前記読み取り−外部メモリ処理機能の利用を許可／不許可する外部メモリの識別情報を入力操作して前記外部メモリ登録手段に登録する登録操作手段を備えていることを特徴とする請求項４記載の画像読み取り装置。
【請求項７】
前記画像読み取り装置は、前記読み取り−外部メモリ処理機能の利用を許可／不許可する利用時間情報を登録する利用時間登録手段を備え、前記制御手段は、該読み取り−外部メモリ処理機能を利用する時間が該利用時間登録手段に登録されているか否かに基づいて該読み取り−外部メモリ処理機能の利用の許可／不許可を制御することを特徴とする請求項１から請求項６のいずれかに記載の画像読み取り装置。
【請求項８】
前記画像読み取り装置は、所定の音声を出力する音声出力手段と、前記読み取り−外部メモリ処理機能の所定の処理タイミングに該音声出力手段に前記音声を出力させる音声出力制御手段とを備えていることを特徴とする請求項１から請求項７のいずれかに記載の画像読み取り装置。
【請求項９】
前記音声出力制御手段は、前記外部メモリ接続手段に前記外部メモリが接続されたタイミング、前記読み取り−外部メモリ処理機能の処理開始の指示操作タイミング、前記読み取り手段による原稿を１ページ読み取る毎のタイミング、前記外部メモリ接続手段から前記外部メモリが切り離されたタイミングのうち少なくとも１つのタイミングで前記音声出力手段に前記音声を出力させることを特徴とする請求項８記載の画像読み取り装置。
【請求項１０】
前記画像読み取り装置は、前記音声を出力する任意の処理タイミング及び該処理タイミングに音声を出力するか否かの音声出力可否情報を任意に設定登録する音声制御情報登録手段を備え、前記音声出力制御手段は、該音声制御情報登録手段の登録内容に基づいて前記音声出力手段の音声出力を制御することを特徴とする請求項８または請求項９記載の画像読み取り装置。
【請求項１１】
前記外部メモリは、ＵＳＢメモリであることを特徴とする請求項１から請求項１０のいずれかに記載の画像読み取り装置。
【請求項１２】
画像読み取り装置に請求項１から請求項１１のいずれかに記載の画像読み取り装置として機能させることを特徴とする読み取りデータ機密制御プログラム。
【請求項１３】
請求項１２記載の読み取りデータ機密制御プログラムを記録したことを特徴とする記録媒体。
【発明の詳細な説明】
【技術分野】
【０００１】
本発明は、画像読み取り装置、読み取りデータ機密制御プログラム及び記録媒体に関し、詳細には、読み取り画像の外部メモリへの書き出しを制限してデータのセキュリティを図る画像読み取り装置、読み取りデータ機密制御プログラム及び記録媒体に関する。
【背景技術】
【０００２】
スキャナ装置、ファクシミリ装置、ＭＦＰ（マルチファンクション装置）、複写装置等の画像読み取り装置においては、種々のデータ（画像データ等）を取り扱うことから、近時、そのデータの機密性（セキュリティ）をいかに確立するかが重要な課題となってきている。
【０００３】
近時、ＮＡＮＤ  ＦＬＡＳＨメモリ（ＮＡＮＤ型フラッシュメモリ）等の大容量低価格の記憶メディアの発達によって、小型・軽量で大容量の記憶媒体としてＵＳＢ（Universal Serial Bus）メモリやメモリカード等が普及し、これらの外部メモリ技術を応用して、例えば、外部メモリとしてのＵＳＢメモリにスキャンした画像を直接記憶するスキャンｔｏＵＳＢメモリ（Ｓｃａｎ  Ｔｏ  ＵＳＢメモリ）処理等のスキャンｔｏメモリ処理を行うスキャナ装置、ＭＦＰ等の画像読み取り装置がある（特許文献１、特許文献２参照）。
【０００４】
【特許文献１】特許第３７０１２８７号公報
【特許文献２】特開２００２−１００２５号公報
【発明の開示】
【発明が解決しようとする課題】
【０００５】
しかしながら、上記特許文献記載の従来技術にあっては、読み取ったデータの外部メモリへの書き出しを行うが、該外部メモリへ書き出すデータの機密保護については考慮されておらず、情報の機密保護が重要な課題となっている今日、読み取りデータの機密保護を向上させる技術が求められている。
【０００６】
そこで、本発明は、読み取りデータを外部メモリに書き出す際の機密保護を向上させることのできる画像読み取り装置、読み取りデータ機密制御プログラム及び記録媒体を提供することを目的としている。
【課題を解決するための手段】
【０００７】
請求項１記載の発明の画像読み取り装置は、原稿の画像を読み取って読み取り画像データを出力する読み取り手段と、接続及び切り離し可能に外部メモリの接続される外部メモリ接続手段と、を備え、該読み取り手段の読み取った原稿の画像データを該外部メモリ接続手段に接続されている該外部メモリに転送して格納する読み取り−外部メモリ処理機能を有する画像読み取り装置において、前記読み取り−外部メモリ処理機能の利用を許可／不許可する外部メモリの登録される外部メモリ登録手段と、前記外部メモリ接続手段に接続されている前記外部メモリが該外部メモリ登録手段に登録されているか否かに基づいて前記読み取り−外部メモリ処理機能の利用の許可／不許可を制御する制御手段と、を備えていることにより、上記目的を達成している。
【０００８】
この場合、例えば、請求項２に記載するように、前記画像読み取り装置は、前記読み取り−外部メモリ処理機能の利用を許可／不許可するユーザを登録するユーザ登録手段を備え、前記制御手段は、該読み取り−外部メモリ処理機能を利用するユーザが該ユーザ登録手段に登録されているか否かに基づいて該読み取り−外部メモリ処理機能の利用の許可／不許可を制御してもよい。
【０００９】
また、例えば、請求項３に記載するように、前記制御手段は、前記読み取り−外部メモリ処理機能において、前記外部メモリの前記ユーザを識別可能な名称のディレクトリに前記画像データを格納してもよい。
【００１０】
さらに、例えば、請求項４に記載するように、前記外部メモリ登録手段は、前記外部メモリを識別する識別情報が登録され、前記外部メモリ接続手段は、前記接続された外部メモリから該外部メモリを識別する識別情報を取得し、前記制御手段は、該外部メモリ接続手段の取得した識別情報と該外部メモリ登録手段に登録されている識別情報が一致するか否かに基づいて前記読み取り−外部メモリ処理機能の利用の許可／不許可を制御してもよい。
【００１１】
また、例えば、請求項５に記載するように、前記画像読み取り装置は、前記外部メモリ接続手段に接続されている前記外部メモリから前記外部メモリの識別情報を取得して前記外部メモリ登録手段に登録する登録制御手段を備えていてもよい。
【００１２】
さらに、例えば、請求項６に記載するように、前記画像読み取り装置は、前記読み取り−外部メモリ処理機能の利用を許可／不許可する外部メモリの識別情報を入力操作して前記外部メモリ登録手段に登録する登録操作手段を備えていてもよい。
【００１３】
また、例えば、請求項７に記載するように、前記画像読み取り装置は、前記読み取り−外部メモリ処理機能の利用を許可／不許可する利用時間情報を登録する利用時間登録手段を備え、前記制御手段は、該読み取り−外部メモリ処理機能を利用する時間が該利用時間登録手段に登録されているか否かに基づいて該読み取り−外部メモリ処理機能の利用の許可／不許可を制御してもよい。
【００１４】
さらに、例えば、請求項８に記載するように、前記画像読み取り装置は、所定の音声を出力する音声出力手段と、前記読み取り−外部メモリ処理機能の所定の処理タイミングに該音声出力手段に前記音声を出力させる音声出力制御手段とを備えていてもよい。
【００１５】
また、例えば、請求項９に記載するように、前記音声出力制御手段は、前記外部メモリ接続手段に前記外部メモリが接続されたタイミング、前記読み取り−外部メモリ処理機能の処理開始の指示操作タイミング、前記読み取り手段による原稿を１ページ読み取る毎のタイミング、前記外部メモリ接続手段から前記外部メモリが切り離されたタイミングのうち少なくとも１つのタイミングで前記音声出力手段に前記音声を出力させてもよい。
【００１６】
さらに、例えば、請求項１０に記載するように、前記画像読み取り装置は、前記音声を出力する任意の処理タイミング及び該処理タイミングに音声を出力するか否かの音声出力可否情報を任意に設定登録する音声制御情報登録手段を備え、前記音声出力制御手段は、該音声制御情報登録手段の登録内容に基づいて前記音声出力手段の音声出力を制御してもよい。
【００１７】
また、例えば、請求項１１に記載するように、前記外部メモリは、ＵＳＢメモリであってもよい。
【００１８】
請求項１２記載の発明の読み取りデータ機密制御プログラムは、画像読み取り装置に請求項１から請求項１１のいずれかに記載の画像読み取り装置として機能させることにより、上記目的を達成している。
【００１９】
請求項１３記載の発明の記録媒体は、請求項１２記載の読み取りデータ機密制御プログラムを記録したことにより、上記目的を達成している。
【発明の効果】
【００２０】
本発明によれば、読み取り手段の読み取った原稿の画像データを外部メモリ接続手段に接続されている外部メモリに転送して格納する読み取り−外部メモリ処理機能の利用の許可／不許可を、外部メモリ接続手段に接続されている外部メモリが、外部メモリ登録手段に該読み取り−外部メモリ処理機能の利用の許可／不許可する外部メモリとして前もって登録されている外部メモリであるか否かに基づいて制御しているので、読み取りデータを外部メモリに書き出す際のデータの機密保護を向上させることができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図９は、本発明の画像読み取り装置、読み取りデータ機密制御プログラム及び記録媒体の第１実施例を示す図であり、図１は、本発明の画像読み取り装置、読み取りデータ機密制御プログラム及び記録媒体の第１実施例を適用した複合装置１の要部ブロック構成図である。
【００２３】
図１において、複合装置１は、ＣＰＵ（Central Processing Unit）２、ＲＯＭ（Read Only Memory）３、ＲＡＭ（Random Access Memory）制御部４、ＲＡＭ５、ＮＶＲＡＭ（Non-Volatile Random Access Memory）６、スキャナエンジン７、プリンタエンジン８、ＦＡＸ制御部９、ＮＣＵ（Network Control Unit）１０、ホストＩ／Ｆ（インターフェイス）制御部１１、ＲＴＣ（リアルタイムクロック；Real Time Clock ）１２、操作部Ｉ／Ｆ制御部１３、操作部１４及びＵＳＢ（Universal Serial Bus）ホスト制御部１５等を備えており、主要各部は、バス１６で接続されている。複合装置１は、スキャナ機能、コピー機能、プリンタ機能、ファクシミリ機能等の複数の機能を備えており、プリンタ機能におけるデータの入力機能としてホストＩ／Ｆ制御部１２を備えている。
【００２４】
ホストＩ／Ｆ制御部１１には、コンピュータ、スキャナ装置等の外部ホスト装置ＨＳが接続され、ホストＩ／Ｆ制御部１１は、外部ホスト装置ＨＳから送られてくる印刷対象や保存対象等のデータを受信する。ホストＩ／Ｆ制御部１１のインターフェイスの種類としては、例えば、ＩＥＥＥ１２８４、ＵＳＢ等のローカル接続や有線、無線によるイーサネット（登録商標）等のネットワーク接続がある。
【００２５】
ＲＯＭ３は、複合装置１の基本プログラムや後述する読み取りデータ機密制御プログラムプログラム等の各種プログラム及び各種データ、その他に印刷原稿のテキスト部分の印刷に使用されるフォント等を格納している。
【００２６】
ＣＰＵ（制御手段、登録制御手段、音声出力制御手段）２は、ＲＯＭ３に格納されたプログラムに基づいてＲＡＭ５をワークメモリとして利用しつつ複合装置１の各部を制御して、スキャナ機能、コピー機能、プリンタ機能、ファクシミリ機能等の各機能、特に後述するスキャナｔｏ外部メモリ処理時の読み取りデータ機密制御処理を実行する。なお、ＣＰＵ２は、複数個搭載されていてもよく、複数搭載されることで、処理性能が向上される。
【００２７】
ＲＡＭ制御部４には、ＲＡＭ５が接続されており、ＣＰＵ２や各ブロックからの要求に応じてデータをＲＡＭ５に書き込み、また、ＲＡＭ５からデータを読み出す。すなわち、ＲＡＭ５は、ＣＰＵ２及び各ブロックの処理動作で発生する各種データの一時保管に利用される。
【００２８】
ＮＶＲＡＭ（外部メモリ登録手段、ユーザ登録手段、音声制御情報登録手段）６は、複合装置１の電源がオフの場合にも保持すべきデータ（例えば、コピー枚数のカウンタ値等の機器固有の情報等）が格納され、特に、後述する読み取りデータ機密制御処理で必要な各種データが格納される。
【００２９】
スキャナエンジン（読み取り手段）７は、ＣＰＵ２の制御下で、原稿を主走査及び副走査して、該原稿の画像を読み取って、デジタルの画像データを出力する。
【００３０】
ＦＡＸ制御部９には、ＮＣＵ１０が接続されており、ＮＣＵ１０には、回線Ｌ、例えば、一般公衆回線、ファクシミリ回線等が接続されている。ＮＣＵ１０は、ＦＡＸ制御部９の制御下で動作して、自動発着呼処理等の回線制御を行う。
【００３１】
ＦＡＸ制御部９は、ＮＣＵ１０を制御するとともに、相手ファクシミリ装置との間でファクシミリ制御信号を交換し、ファクシミリ通信手順を実行する。また、ＦＡＸ制御部９は、送信信号の変調及び受信信号の復調を行う。なお、ＦＡＸ制御部９及びＮＣＵ１０を利用したファクシミリ機能で送信されるファクシミリ送信データは、スキャナエンジン７で読み取られた原稿の画像データ、後述するＵＳＢホスト制御部１５を介して取り込んだデータ及びホストＩ／Ｆ制御部１１を介して外部ホスト装置ＨＳから受け取ったデータ等である。
【００３２】
ＵＳＢホスト制御部（外部メモリ接続手段）１５は、外部メモリ、例えば、ＵＳＢメモリ（以下、外部メモリがＵＳＢメモリであるとして説明する。）を接続するためのインターフェイスであり、ＣＰＵ２の制御下で、接続されたＵＳＢメモリとの間でデータの送受信を行う。
【００３３】
プリンタエンジン８は、ＣＰＵ２の制御下で、印刷に関する動作を行って、スキャナエンジン７で読み取られた画像、ホストＩ／Ｆ制御部１１を介して外部ホスト装置ＨＳから受け取ったデータ、ＦＡＸ制御部９及びＮＣＵ１０を相手装置から送られてきたファクシミリ画像及びＵＳＢホスト制御部１５を介してＵＳＢメモリから取得したデータ等の各種データを、所定の印刷方式、例えば、電子写真方式、ＬＥＤ（Light Emitting Diode）方式、インク噴射方式等で、用紙に記録出力する。
【００３４】
ＲＴＣ１２は、発振回路や分周回路等を備え、現在時刻等を計時する。
【００３５】
操作部Ｉ／Ｆ制御部１３には、操作者とのマンマシンインターフェース部である操作部１４が接続され、操作部（登録操作手段）１４は、図２に示すように、テンキー２１、スタートキー２２、クリア／ストップキー２３、リセットキー２４、初期設定キー２５、コピーキー２６、プリンタキー２７、スキャナキー２８、選択キー２９及び表示部３０が設けられている。
【００３６】
テンキー２１は、コピー枚数、ファクシミリ送信先番号等の入力操作に使用されるとともに、後述する読み取りデータ機密制御処理での各種操作、例えば、個人識別情報入力操作、音声出力タイミング設定操作、利用時間設定操作及びＵＳＢ識別情報設定操作等に使用され、スタートキー２２は、各種動作の開始指示操作、各種キーでの入力内容の確定操作等に使用される。
【００３７】
クリア／ストップキー２３は、各種動作のクリア／ストップやキー操作のクリア／ストップを指示操作するのに使用され、リセットキー２４は、各種動作のリセットや入力操作のリセットを行うのに使用される。
【００３８】
初期設定キー２５は、複合装置１の初期状態を任意にカスタマイズする初期設定モードに移行させる際に使用される。例えば、複合装置１が収納している用紙サイズの設定操作、コピー機能のモードをクリアさせるためにクリア／ストップキーキー２３が操作されたときに設定される状態の設定操作、一定時間操作が無いときに優先して選択されるアプリケーションの選択操作、国際エネルギースター計画に従った低電力状態への移行時間の設定操作及びオートオフ／スリープモードへの移行時間の設定操作等を行う場合に、初期設定キー２５を操作して、これらの操作を行う。
【００３９】
コピーキー２６は、複合装置１のコピーモードを選択操作するのに使用され、プリンタキー２７は、外部ホスト装置ＨＳ等からプリント要求とともに送られてきた印刷データや蓄積されている画像データや印刷データをプリンタエンジン８で印刷出力するプリンタモードを選択するとき等に使用される。
【００４０】
スキャナキー２８は、スキャナエンジン７で読み取った原稿画像データを複合装置１内部の図示しないハードディスク等の画像メモリに蓄積したり、スキャナエンジン７で読み取った原稿画像データや該画像メモリに蓄積されている画像データ等を外部に送信する等のスキャナモードを選択する際に使用される。
【００４１】
なお、図２では図示しないが、操作部１４は、ＦＡＸキーを備えており、ＦＡＸキーは、スキャナエンジン７で読み取った原稿画像データ、外部ホスト装置ＨＳから受信した画像データ及び画像メモリに蓄積されている画像データをファクシミリ送信する等のファクシミリモードを選択する際に使用される。
【００４２】
表示部３０は、液晶ディスプレイ上にタッチパネルが重ね合わされた液晶タッチパネルが使用されており、操作部Ｉ／Ｆ制御部１３が、ＣＰＵ２の制御下で、該液晶ディスプレイにキー操作内容や複合装置１からユーザに通知する各種情報及び複合装置１の各種操作を行うのに必要な情報表示と該情報表示に対応する機能キー（タッチボタン）を表示し、液晶ディスプレイに表示された機能キーにタッチされると、タッチパネルがタッチ操作を検出して、該タッチ操作で選択された機能キーの液晶ディスプレイでの表示を黒等に反転表示させるとともに、該機能キーのキー操作結果をＣＰＵ２に通知する。
【００４３】
そして、上記ＮＶＲＡＭ６には、スキャナエンジン７で読み取ったデータをＵＳＢホスト制御部１５に接続されているＵＳＢメモリに書き込むスキャナｔｏ外部メモリ処理であるスキャナｔｏＵＳＢメモリ処理を許可するＵＳＢメモリのＵＳＢメモリ識別情報を予め登録するＵＳＢメモリ識別情報記憶テーブルを格納しており、このＵＳＢメモリ識別情報記憶テーブルへのＵＳＢメモリ識別情報の登録は、ＵＳＢホスト制御部１５へのＵＳＢメモリの装着による自動取得・登録や操作部１４からの操作や外部ホスト装置ＨＳからのデータ入力によってＣＰＵ２が行う。
【００４４】
なお、図示しないが、複合装置１は、スピーカ及び音声出力回路等からなる音声出力部（音声出力手段）を備えており、後述する読み取りデータ機密制御処理でユーザに通知する各種情報を音声出力する。
【００４５】
そして、複合装置１は、ＣＤ（Compact Disc）、ＭＯ（光磁気ディスク）、ＣＤ−ＲＯＭ（Compact Disc Read Only Memory ）、ＣＤ−ＲＷ（Compact Disc Rewritable ）、ＤＶＤ（Digital Video Disk）、メモリカード、フレキシブルディスク等の記録媒体に記録されている読み取りデータ機密制御処理プログラム及び必要なデータが図示しない読み取り部によって読み取られてＮＶＲＡＭ６やＲＯＭ３等の不揮発性記憶部に格納されて実行されることで、図３に示すような機能モジュールを備えて、本発明の読み取りデータ機密制御処理を実行する複合装置１として構築される。
【００４６】
すなわち、複合装置１は、読み取りデータ機密制御処理プログラムによって、図３に示すように、全体制御部４０、スキャナ読み取り制御部４１、データ蓄積制御部４２及びＵＳＢホスト制御部４３等の機能モジュールが構成される。全体制御部４０は、ＣＰＵ２の制御を行って、操作部１４の制御、ホストＩ／Ｆ制御部１１の制御及びＦＡＸ制御部９の制御等の複合装置１全体の制御を行う。
【００４７】
データ蓄積制御部４２は、ＲＡＭ５に画像記憶用の領域を確保して、該画像記憶用ＲＡＭのうち画像の記憶に使用可能な未使用ＲＡＭサイズと既に画像を蓄積した使用済みＲＡＭサイズを管理している。
【００４８】
スキャナ読み取り制御部４１は、スキャナエンジン７の制御を行って、スキャナエンジン７に原稿の読み取りを行わせる。
【００４９】
ＵＳＢホスト制御部４３は、ＵＳＢホスト制御部１５に接続されたＵＳＢの認識と制御を行う。
【００５０】
次に、本実施例の作用を説明する。本実施例の複合装置１は、着脱可能な外部メモリであるＵＳＢメモリに読み取りデータを保管するスキャンｔｏＵＳＢメモリ処理機能の際に、ＵＳＢメモリ認証を行って機密保護を図る読み取りデータ機密制御処理を行う。
【００５１】
そこで、複合装置１は、まず、図４に示すＵＳＢメモリ識別情報の登録処理を行う。すなわち、ＣＰＵ２は、ＵＳＢメモリがＵＳＢホスト制御部１５に装着されているかチェックし（ステップＳ１０１）、ＵＳＢメモリが装着されると、該装着されているＵＳＢメモリの識別情報をＵＳＢホスト制御部１５を介してＵＳＢメモリから取得し、ＮＶＲＡＭ６のＵＳＢメモリ識別情報記憶テーブルに登録する（ステップＳ１０２）。
【００５２】
すなわち、ＵＳＢメモリは、一般的に、図５に示すようなデバイスデスクリプタ及びストリングデスクリプタを有しており、ＣＰＵ２は、ＵＳＢメモリ制御部１５を介して接続されているＵＳＢメモリから該デスクリプタ情報のうち、ベンダＩＤ、プロダクトＩＤ、デバイスリリース番号及びiManufacture、iProduct、iSerialNumberの各ストリングデスクリプタの取得要求によって得られたStringデスクリプタのbStringの値をＵＳＢメモリ識別情報として取得して、ＮＶＲＡＭ６のＵＳＢメモリ識別情報記憶テーブルに登録する。
【００５３】
また、ステップＳ１０１で、ＵＳＢメモリが装着されていないときには、ＣＰＵ２は、ＵＳＢメモリの識別情報（登録情報）を手動で登録するかどうかの問い合わせの表示を操作部Ｉ／Ｆ制御部１３を介して操作部１４の表示部３０に表示して、ユーザによる該問い合わせに対する決定を待って（ステップＳ１０３）、手動登録が選択されたかチェックする（ステップＳ１０４）。
【００５４】
ステップＳ１０４で、手動登録が選択されないときには、ＣＰＵ２は、そのまま処理を終了し、手動登録が選択されると、ユーザによって操作部１４から入力されたＵＳＢメモリ識別情報をＮＶＲＡＭ６のＵＳＢメモリ識別情報記憶テーブルに登録して、処理を終了する（ステップＳ１０５）。
【００５５】
そして、複合装置１は、図６に示すように、上記ＵＳＢメモリ識別情報記憶テーブルを用いてスキャナｔｏＵＳＢメモリ処理時の読み取りデータ機密制御処理を行う。
【００５６】
すなわち、ＮＶＲＡＭ６のＵＳＢメモリ識別情報記憶テーブルにＵＳＢメモリ識別情報が登録されている状態で、ＵＳＢメモリ制御部１５にＵＳＢメモリが装着されてスキャナエンジン７が起動されると、ＣＰＵ２は、図６に示すように、該スキャナエンジン７の起動がスキャンしたデータをＵＳＢメモリに転送して保存するスキャンｔｏＵＳＢメモリであるかチェックし（ステップＳ２０１）、スキャンｔｏＵＳＢメモリでないときには、スキャンｔｏＵＳＢメモリでない他の指定の処理を実行する（ステップＳ２０２）。
【００５７】
ステップＳ２０１で、スキャンｔｏＵＳＢメモリであるときには、ＣＰＵ２は、装着されているＵＳＢがＮＶＲＡＭ６のＵＳＢメモリ識別情報記憶テーブルにＵＳＢメモリ識別情報の登録されているＵＳＢメモリであるかチェックする（ステップＳ２０３）。
【００５８】
すなわち、ＣＰＵ２は、ＵＳＢホスト制御部１５に装着されているＵＳＢメモリの識別情報を該ＵＳＢホスト制御部１５を介して取得し、該装着されているＵＳＢメモリの識別情報がＮＶＲＡＭ６のＵＳＢメモリ識別情報記憶テーブルに登録されているＵＳＢメモリ識別情報と一致するかチェックする。
【００５９】
ステップＳ２０３で、該装着されているＵＳＢメモリが登録済のＵＳＢメモリであると、ＣＰＵ２は、スキャナエンジン７を起動させて該スキャナエンジン７で読み取った原稿の画像データをＵＳＢホスト制御部１５を介して該装着されているＵＳＢメモリに転送して電子ファイルとして書き込むスキャンｔｏＵＳＢメモリ処理を実行する（ステップＳ２０４）。
【００６０】
ステップＳ２０３で、装着されているＵＳＢメモリがＮＶＲＡＭ６のＵＳＢメモリ識別情報記憶テーブルに登録されていないときには、ＣＰＵ２は、該装着されているＵＳＢメモリがＵＳＢメモリ識別情報記憶テーブルに登録されていないＵＳＢメモリである旨を操作部１４の表示部３０に表示して、スキャンｔｏＵＳＢメモリ処理を行うことなく、処理を終了する（ステップＳ２０５）。
【００６１】
そして、上記スキャナｔｏＵＳＢメモリ時の読み取りデータ機密制御処理において、所定のタイミングで所定の音声を出力させる音声出力処理を行ってもよい。
【００６２】
この音声出力処理においては、例えば、複合装置１は、ＮＶＲＡＭ６に、図７に示すように、音声出力タイミング設定テーブルＴｂ１に、音声出力タイミングを予め登録するとともに、該音声出力タイミングで音声出力を行うか行わないかを、ＯＮ／ＯＦＦ設定し、該音声出力タイミング設定テーブルＴｂ１の設定に応じて、ＣＰＵ２が音声出力部の動作の制御を行う。そして、この音声出力タイミング設定テーブルＴｂ１には、操作部１４からの操作や外部ホスト装置ＨＳからのデータ入力によって、適宜の音声出力タイミングを設定登録する行うことができ、また、登録した音声出力タイミングでの音声出力のＯＮ／ＯＦＦを設定することができる。この音声出力タイミングとしては、例えば、図７に示すように、ＵＳＢメモリのＵＳＢホスト制御部１５への接続（装着）時、操作部１４のスタートキー２２の押下時（スキャンｔｏＵＳＢメモリ処理機能の処理開始の指示操作タイミング）、ページ読み取り時（スキャナエンジン７による原稿を１ページ読み取る毎のタイミング）及びＵＳＢメモリ脱落時（ＵＳＢホスト制御部１５からＵＳＢメモリが切り離されたタイミング）等である。
【００６３】
また、上記説明では、スキャンｔｏＵＳＢメモリ処理を許可するＵＳＢメモリのＵＳＢメモリ識別情報をＮＶＲＡＭ６のＵＳＢメモリ識別情報記憶テーブルに登録して、該ＵＳＢメモリ識別情報記憶テーブルにＵＳＢホスト制御部１５に装着されたＵＳＢメモリが登録されているか否かで読み取りデータの機密制御を行っているが、スキャンｔｏＵＳＢメモリ処理を許可するＵＳＢメモリのＵＳＢメモリ識別情報を登録して読み取りデータの機密を制御するものに限るものではなく、逆に、スキャンｔｏＵＳＢメモリ処理を許否（不許可）するＵＳＢメモリのＵＳＢメモリ識別情報を登録して、読み取りデータの機密を制御してもよい。
【００６４】
この場合、例えば、図８に示すような使用禁止ＵＳＢメモリ情報テーブルＴｂ２と図９に示すような参照情報ビット（ｂｉｔ）定義テーブルＴｂ３をＮＶＲＡＭ６に格納し、スキャンｔｏＵＳＢメモリ処理において、ＵＳＢホスト制御部１５にＵＳＢメモリが装着されると、該装着されたＵＳＢメモリからＵＳＢメモリ識別情報を取得して、ＮＶＲＡＭ６の参照情報ビット定義テーブルＴｂ３に基づいて使用禁止ＵＳＢメモリ情報テーブルＴｂ２を参照して、該参照情報で示されるビット（ｂｉｔ）に相当する装着ＵＳＢメモリの識別情報と使用禁止ＵＳＢメモリ情報テーブルＴｂ２の識別情報が一致するか判別し、一致すると、該装着されたＵＳＢメモリを使用したスキャナとＵＳＢメモリ処理機能の利用を禁止する。
【００６５】
このように、本実施例の複合装置１は、スキャナエンジン７で読み取った原稿の画像データをＵＳＢホスト制御部１５に接続されているＵＳＢメモリに転送して格納するスキャンｔｏＵＳＢメモリ処理機能の利用の許可／不許可を、ＵＳＢホスト制御部１５に接続されているＵＳＢメモリが、ＮＶＲＡＭ６のＵＳＢメモリ識別情報記憶テーブルに該スキャンｔｏＵＳＢメモリ処理機能の利用の許可するＵＳＢメモリとして前もって登録されているＵＳＢメモリであるか否かに基づいて制御している。
【００６６】
したがって、読み取りデータをＵＳＢメモリに書き出す際のデータの機密保護を向上させることができる。
【００６７】
また、本実施例の複合装置１は、ＮＶＲＡＭ６のＵＳＢメモリ識別情報記憶テーブルに、スキャンｔｏＵＳＢメモリ処理機能の利用を許可するＵＳＢメモリの識別情報を登録し、ＵＳＢホスト制御部１５が、接続されたＵＳＢメモリから該ＵＳＢメモリの識別情報を取得して、ＣＰＵ２が、該ＵＳＢホスト制御部１５の取得した識別情報と該ＮＶＲＡＭ６のＵＳＢメモリ識別情報記憶テーブルに登録されている識別情報が一致するか否かに基づいてスキャナｔｏＵＳＢメモリ処理機能の利用の許可／不許可を制御している。
【００６８】
したがって、データ転送を許可／不許可するＵＳＢメモリを簡単かつ適切に識別して、スキャナｔｏＵＳＢメモリ処理機能の利用を制御することができ、より一層簡単かつ適切に読み取りデータをＵＳＢメモリに書き出す際のデータの機密保護を向上させることができる。
【００６９】
さらに、本実施例の複合装置１は、ＵＳＢホスト制御部１５に接続されているＵＳＢメモリから該ＵＳＢメモリの識別情報を取得してＮＶＲＡＭ６のＵＳＢメモリ識別情報記憶テーブルに登録している。
【００７０】
したがって、データ転送を許可／不許可するＵＳＢメモリを簡単かつ正確に登録することができ、利用性を向上させることができるとともに、より一層簡単かつ適切に読み取りデータをＵＳＢメモリに書き出す際のデータの機密保護を向上させることができる。
【００７１】
また、本実施例の複合装置１は、スキャナｔｏＵＳＢメモリ処理機能の利用を許可／不許可するＵＳＢメモリの識別情報を操作部１４からの操作または外部ホスト装置ＨＳからのデータ入力操作によってＮＶＲＡＭ６のＵＳＢメモリ識別情報記憶テーブルに登録している。
【００７２】
したがって、データ転送を許可／不許可するＵＳＢメモリをユーザの意図に応じて簡単かつ適切に登録することができ、利用性を向上させることができるとともに、より一層適切に読み取りデータをＵＳＢメモリに書き出す際のデータの機密保護を向上させることができる。
【００７３】
さらに、本実施例の複合装置１は、スキャナｔｏＵＳＢメモリ処理機能の所定の処理タイミングに音声出力部から音声を出力している。
【００７４】
したがって、操作者及び周囲の人にスキャナｔｏＵＳＢメモリ処理機能の操作及び該操作での処理状況を適切に通知して、データ機密保護を適切に向上させることができる。
【００７５】
また、本実施例の複合装置１は、ＵＳＢホスト制御部１５にＵＳＢメモリが接続されたタイミング、スキャナｔｏＵＳＢメモリ処理機能の処理開始の指示操作タイミング（スタートキー操作タイミング）、スキャナエンジン７による原稿を１ページ読み取る毎のタイミング、ＵＳＢホスト制御部１５からＵＳＢメモリが切り離されたタイミングのうち少なくとも１つのタイミングで音声出力部から音声を出力させている。
【００７６】
したがって、操作者及び周囲の人にスキャナｔｏＵＳＢメモリ処理機能での適切なタイミングで該スキャナｔｏＵＳＢメモリ処理機能の処理状況を適切に通知して、データ機密保護を適切に向上させることができる。
【００７７】
さらに、本実施例の複合装置１は、音声を出力する任意の処理タイミング及び該処理タイミングに音声を出力するか否かの音声出力可否情報（ＯＮ／ＯＦＦ）を音声出力タイミング設定テーブルＴｂ１に設定登録して、該音声出力タイミング設定テーブルＴｂ１の登録内容に基づいて音声出力部による音声出力を制御している。
【００７８】
したがって、管理者等によって操作者や周囲の人に注意を喚起させる音声出力タイミングを適宜設定して音声出力したり、不適切な時間等に音声出力されることを防止したりすることができ、利用性を向上させつつ、データ機密保護を適切に向上させることができる。
【００７９】
また、本実施例の複合装置１は、外部メモリとして、ＵＳＢメモリを利用している。したがって、可搬性に富み簡単に接続・切り離しの可能なＵＳＢメモリへのデータの転送を適切に制御して、データの機密性を適切に確保することができる。
【実施例２】
【００８０】
図１０から図１２は、本発明の画像読み取り装置、読み取りデータ機密制御プログラム及び記録媒体の第２実施例を示す図であり、図１０は、本発明の画像読み取り装置、読み取りデータ機密制御プログラム及び記録媒体の第２実施例を適用した複合装置に格納されているユーザＩＤ・パスワードテーブルを示す図、図１１は、該ユーザＩＤ・パスワードテーブルと対応付けられたＵＳＢメモリ識別情報記憶テーブルを示す図、図１２は、該複合装置による読み取りデータ機密制御処理を示すフローチャートである。
【００８１】
なお、本実施例は、スキャンｔｏＵＳＢメモリ時の読み取りデータ機密制御処理をユーザ認証とＵＳＢメモリ認証の双方で行うもので、上記第１実施例の複合装置１と同様の複合装置に適用したものである。
【００８２】
そこで、本実施例の説明においては、必要に応じて、上記第１実施例で用いた符号をそのまま用いて説明する。
【００８３】
そして、本実施例の複合装置１は、図１０に示すように、ＮＶＲＡＭ６に、スキャナエンジン７で読み取った画像データをＵＳＢホスト制御部１５に接続されているＵＳＢメモリに転送して書き込むスキャナｔｏ外部メモリ処理であるスキャナｔｏＵＳＢメモリ処理機能の利用を許可するユーザのＩＤ（Identity）とパスワードを対応させたユーザＩＤ・パスワードテーブルＴｂ４が格納されており、このユーザＩＤ・パスワードテーブルＴｂ４の登録情報は、操作部１４からの操作や外部ホスト装置ＨＳからのデータ入力に基づいて、ＣＰＵ２が、ＮＶＲＡＭ６のユーザＩＤ・パスワードテーブルＴｂ４に登録する。
【００８４】
また、複合装置１は、図１１に示すように、ＮＶＲＡＭ６に、スキャナｔｏＵＳＢメモリ処理を許可するＵＳＢメモリのＵＳＢメモリ識別情報を予め登録するＵＳＢメモリ識別情報記憶テーブルＴｂ５が格納されており、このＵＳＢメモリ識別情報は、ＵＳＢホスト制御部１５へのＵＳＢメモリの装着による自動取得・登録や操作部１４からの操作や外部ホスト装置ＨＳからのデータ入力に基づいて、ＣＰＵ２が、ＮＶＲＡＭ６のＵＳＢメモリ識別情報記憶テーブルＴｂ５に登録する。
【００８５】
そして、ＣＰＵ２は、ユーザＩＤとパスワードのユーザＩＤ・パスワードテーブルＴｂ４への登録処理及びＵＳＢメモリ識別情報のＵＳＢメモリ識別情報記憶テーブルＴｂ５への登録処理においては、該登録するまたは既に登録されているユーザによるスキャナｔｏＵＳＢメモリ処理を許可するＵＳＢメモリを特定するために、図１１に示すように、ユーザＩＤ・パスワードテーブルＴｂ４のユーザとＵＳＢメモリ識別情報記憶テーブルＴｂ５のＵＳＢメモリ識別情報をＵＳＢメモリＩＤによって関連付けを行う。
【００８６】
このように、関連付けの行われたユーザＩＤ・パスワードテーブルＴｂ４とＵＳＢメモリ識別情報記憶テーブルＴｂ５がＮＶＲＡＭ６に登録されると、図１２に示すユーザ認証とＵＳＢメモリ認証による読み取りデータ機密制御処理を行う。
【００８７】
すなわち、関連付けの行われたユーザＩＤ・パスワードテーブルＴｂ４とＵＳＢメモリ識別情報記憶テーブルＴｂ５がＮＶＲＡＭ６に登録されている状態で、ＵＳＢメモリ制御部１５にＵＳＢメモリが装着されてスキャナエンジン７が起動されると、図１２に示すように、ＣＰＵ２は、該スキャナエンジン７の起動がスキャンしたデータをＵＳＢメモリに転送して保存するスキャンｔｏＵＳＢメモリであると、ＮＶＲＡＭ６からユーザＩＤ・パスワードテーブルＴｂ４からユーザＩＤを読み出して操作部１４の表示部３０に表示し、ユーザによって該表示したユーザＩＤから自己のユーザＩＤが選択されるのを待つ（ステップＳ３０１）。ユーザＩＤが選択されると、ＣＰＵ２は、パスワードの入力を行わせる画面を操作部１４の表示部３０に表示して、該選択されたユーザＩＤに対応するパスワードが入力されるのを待ち（ステップＳ３０２）、パスワードが入力されると、該入力されたパスワードが正当なパスワードかどうか、すなわち、該入力されたパスワードが、ＮＶＲＡＭ６のユーザＩＤ・パスワードテーブルＴｂ４に、該選択されたユーザＩＤに対応して登録されているパスワードであるかチェックする（ステップＳ３０３）。
【００８８】
ステップＳ３０３で、正当なパスワードでないときには、ＣＰＵ２は、パスワードが正しくない旨を操作部１４の表示部３０に表示して、処理を終了する（ステップＳ３０４）。
【００８９】
ステップＳ３０３で、入力されたパスワードが正当なパスワードのときには、ＣＰＵ２は、ＵＳＢホスト制御部１５に装着されているＵＳＢメモリがＮＶＲＡＭ６のＵＳＢメモリ識別情報記憶テーブルＴｂ５に該ユーザＩＤに関連付けされて登録されているＵＳＢメモリであるかをチェックする（ステップＳ３０５）。すなわち、ＣＰＵ２は、ＵＳＢホスト制御部１５に装着されているＵＳＢメモリの識別情報を該ＵＳＢホスト制御部１５を介して取得し、該装着されているＵＳＢメモリの識別情報がＮＶＲＡＭ６のＵＳＢメモリ識別情報記憶テーブルＴｂ５に該ユーザＩＤで関連付けられて登録されているＵＳＢメモリ識別情報と一致するかチェックする。
【００９０】
ステップＳ３０５で、ＵＳＢホスト制御部１５に装着されているＵＳＢメモリがＮＶＲＡＭ６のＵＳＢメモリ識別情報記憶テーブルＴｂ５に上記ユーザＩＤに関連付けされて登録されているＵＳＢメモリであるときには、ＣＰＵ２は、スキャナエンジン７を起動させて該スキャナエンジン７で読み取った原稿の画像データをＵＳＢホスト制御部１５を介して該装着されているＵＳＢメモリに転送して、該ＵＳＢメモリの該ユーザＩＤ名のディレクトリに電子ファイルとして書き込むスキャンｔｏＵＳＢメモリ処理を実行する（ステップＳ３０６）。なお、このとき、ＵＳＢメモリに該ユーザＩＤ名のディレクトリが存在しないときには、ＣＰＵ２は、該ユーザＩＤ名のディレクトリをＵＳＢメモリに作成して、該作成したユーザＩＤ名のディレクトリにスキャンした画像データを電子ファイルとして書き込む。
【００９１】
ステップＳ３０５で、ＵＳＢホスト制御部１５に装着されているＵＳＢメモリがＮＶＲＡＭ６のＵＳＢメモリ識別情報記憶テーブルＴｂ５に上記ユーザＩＤに関連付けされて登録されていないＵＳＢメモリであるか、または、登録自体が行われていないＵＳＢメモリであるときには、ＣＰＵ２は、装着されているＵＳＢメモリが認証されていないことを操作部１４の表示部３０に表示して、スキャンｔｏＵＳＢメモリ処理を行うことなく、処理を終了する（ステップＳ３０７）。
【００９２】
なお、上記スキャナｔｏＵＳＢメモリ処理時の読み取りデータ機密制御処理において、第１実施例の場合と同様に、所定のタイミングで所定の音声を出力させる音声出力処理を行ってもよい。
【００９３】
また、上記説明では、スキャンｔｏＵＳＢメモリ処理を許可するＵＳＢメモリのＵＳＢメモリ識別情報をＮＶＲＡＭ６のＵＳＢメモリ識別情報記憶テーブルＴｂ５に登録して、該ＵＳＢメモリ識別情報記憶テーブルＴｂ５に、ＵＳＢホスト制御部１５に装着されたＵＳＢメモリがユーザＩＤに関連付けて登録されているか否かで読み取りデータの機密制御を行っているが、スキャンｔｏＵＳＢメモリ処理を許可するＵＳＢメモリのＵＳＢメモリ識別情報を登録して読み取りデータの機密を制御するものに限るものではなく、上記第１実施例の場合と同様に、逆に、スキャンｔｏＵＳＢメモリ処理を許否（不許可）するＵＳＢメモリのＵＳＢメモリ識別情報を使用禁止ＵＳＢメモリ情報テーブルＴｂ２として登録して、読み取りデータの機密を制御してもよい。
【００９４】
さらに、スキャンｔｏＵＳＢメモリ処理機能の利用を不許可とするユーザのユーザＩＤを登録して、スキャンｔｏＵＳＢメモリ処理時の読み取りデータ機密制御処理を行ってもよい。
【００９５】
このように、本実施例の複合装置１は、スキャナｔｏＵＳＢメモリ処理機能の利用を許可するＵＳＢメモリのＵＳＢメモリ識別情報をＵＳＢメモリ識別情報記憶テーブルＴｂ５として、または、スキャナｔｏＵＳＢメモリ処理の利用を不許可するＵＳＢメモリ識別情報を使用禁止ＵＳＢメモリ情報テーブルＴｂ２として、ＮＶＲＡＭ６に格納し、また、スキャナｔｏＵＳＢメモリ処理機能の利用を許可するユーザをユーザＩＤ・パスワードテーブルＴｂ４として、または、スキャナｔｏＵＳＢメモリ処理機能の利用を不許可するユーザをＮＶＲＡＭ６に登録し、ＵＳＢホスト制御部１５に接続されているＵＳＢメモリが、ＮＶＲＡＭ６のＵＳＢメモリ識別情報記憶テーブルに該スキャンｔｏＵＳＢメモリ処理機能の利用の許可／不許可するＵＳＢメモリとして前もって登録されているＵＳＢメモリであるか否か及びスキャナｔｏＵＳＢメモリ処理機能を利用するユーザがスキャンｔｏＵＳＢメモリ処理機能の利用を許可／不許可するユーザとしてそのユーザＩＤがＮＶＲＡＭ６に登録されているか否かに基づいて該スキャナｔｏＵＳＢメモリ処理機能の利用の許可／不許可を制御している。
【００９６】
したがって、読み取りデータをＵＳＢメモリに書き出す際のデータの機密保護をより一層向上させることができる。
【実施例３】
【００９７】
図１３及び図１４は、本発明の画像読み取り装置、読み取りデータ機密制御プログラム及び記録媒体の第３実施例を示す図であり、図１３は、本発明の画像読み取り装置、読み取りデータ機密制御プログラム及び記録媒体の第３実施例を適用した複合装置に格納されている使用可能時間設定テーブルを示す図、図１１は、該複合装置による読み取りデータ機密制御処理を示すフローチャートである。
【００９８】
なお、本実施例は、スキャンｔｏＵＳＢメモリ処理機能を予め設定した使用可能時間に基づいて制御するもので、上記第１実施例の複合装置１と同様の複合装置に適用したものである。
【００９９】
そこで、本実施例の説明においては、必要に応じて、上記第１実施例で用いた符号をそのまま用いて説明する。
【０１００】
そして、本実施例の複合装置１は、図１３に示すように、ＮＶＲＡＭ（利用時間登録手段）６に、スキャナエンジン７で読み取ったデータをＵＳＢホスト制御部１５に接続されているＵＳＢメモリに書き込むスキャナｔｏ外部メモリ処理であるスキャナｔｏＵＳＢメモリ処理機能の利用を許可する時間を利用開始時間と利用終了時間で示した使用可能時間設定テーブルＴｂ６が格納されており、使用可能時間設定テーブルＴｂ６の登録時間情報は、操作部１４からの操作や外部ホスト装置ＨＳからのデータ入力に基づいて、ＣＰＵ２が、ＮＶＲＡＭ６の使用可能時間設定テーブルＴｂ６に登録する。なお、図１３の使用可能時間設定テーブルＴｂ６には、曜日毎に、利用開始時間と利用終了時間が使用可能時間として設定登録されている。
【０１０１】
そして、ＣＰＵ２は、スキャンｔｏＵＳＢメモリ処理機能の使用可能時間がＮＶＲＡＭ６の使用可能時間設定テーブルＴｂ６に登録されている状態で、スキャンｔｏＵＳＢメモリ処理機能の利用要求があると、図１４に示すように、ＣＰＵ２は、ＲＴＣ１２から現在時刻と取得して、現在の日時を計算し（ステップＳ４０１）、ＮＶＲＡＭ６の使用可能時間設定テーブルＴｂ６から該ＲＴＣ１２の計時する曜日に該当する曜日の使用開始時間と使用終了時間を取得する（ステップＳ４０２）。
【０１０２】
次に、ＣＰＵ２は、上記計算した現在日時が、該取得した使用可能開始時間と使用終了時間の範囲に入っているか、すなわち、現在日時が使用可能時間内であるかチェックし（ステップＳ４０３）、使用可能時間内であると、スキャンｔｏＵＳＢメモリ処理機能の利用を可能として、時間制御処理を終了する（ステップＳ４０４）。
【０１０３】
なお、このスキャンｔｏＵＳＢメモリ処理においては、上記第１実施例で説明したＵＳＢメモリ認証によるデータ機密制御処理または第２実施例で説明したユーザ認証とＵＳＢメモリ認証によるデータ機密制御処理を行う。
【０１０４】
ステップＳ４０３で、現在日時が使用可能時間設定テーブルＴｂ６の使用可能時間外であると、ＣＰＵ２は、スキャンｔｏＵＳＢメモリ処理機能が利用できないと判断して、スキャンｔｏＵＳＢメモリ処理機能が利用できない旨を操作部１４の表示部３０に表示して、時間制御処理を終了する（ステップＳ４０５）。
【０１０５】
このように、本実施例の複合装置１は、スキャナｔｏＵＳＢメモリ処理機能の利用を許可する利用時間情報をＮＶＲＡＭ６の使用可能時間設定テーブルＴｂ６に登録し、該スキャナｔｏＵＳＢメモリ処理機能を利用する時間が該使用可能時間設定テーブルＴｂ６に登録されているか否かに基づいて該スキャナｔｏＵＳＢメモリ処理機能の利用の許可／不許可を制御している。
【０１０６】
なお、上記説明では、利用可能時間を使用可能時間設定テーブルＴｂ６に登録してスキャナｔｏＵＳＢメモリ処理機能の利用の許可／不許可を制御しているが、利用可能時間を登録する場合に限るものではなく、例えば、利用不可能時間を登録してスキャナｔｏＵＳＢメモリ処理機能の利用の許可／不許可を制御してもよい。
【０１０７】
したがって、読み取りデータを時間管理することができ、データ保護をより一層適切かつ確実に向上させることができる。
【０１０８】
以上、本発明者によってなされた発明を好適な実施例に基づき具体的に説明したが、本発明は上記のものに限定されるものではなく、その要旨を逸脱しない範囲で種々変更可能であることはいうまでもない。
【０１０９】
例えば、上記各実施例においては、スキャナエンジン７で読み取った画像データを外部メモリとしてのＵＳＢメモリに転送して格納する場合について説明したが、データとしては、スキャナエンジン７で読み取った画像データに限るものではなく、例えば、外部ホスト装置ＨＳから転送されてきたデータやＦＡＸ制御部９及びＮＣＵ１０を介して受信したファクシミリデータであってもよい。
【産業上の利用可能性】
【０１１０】
本発明は、スキャンデータをＵＳＢメモリ等の外部メモリに転送・保管するスキャンｔｏ外部メモリ処理を行うスキャナ、複写装置、複合装置等の画像読み取り装置、該画像読み取り装置に搭載される読み取りデータ機密制御プログラム及び記録媒体に利用することができる。
【図面の簡単な説明】
【０１１１】
【図１】本発明の第１実施例を適用した複合装置の要部ブロック構成図。
【図２】図１の複合装置の操作部の平面図。
【図３】図１の複合装置の要部機能モジュールのブロック構成図。
【図４】図１の複合装置によるＵＳＢメモリ識別情報登録処理を示すフローチャート。
【図５】ＵＳＢメモリのデスクリプタの一例を示す図。
【図６】図１の複合装置による読み取りデータ機密制御処理を示すフローチャート。
【図７】図１のＮＶＲＡＭに登録される音声出力タイミング設定テーブルの一例を示す図。
【図８】図１のＮＶＲＡＭに登録される使用禁止ＵＳＢメモリ情報テーブルの一例を示す図。
【図９】図１のＮＶＲＡＭに登録される参照情報ビット定義テーブルの一例を示す図。
【図１０】本発明の第２実施例を適用した複合装置のＮＶＲＡＭに登録されるユーザＩＤ・パスワードテーブルの一例を示す図。
【図１１】本発明の第２実施例を適用した複合装置のＮＶＲＡＭに登録されるユーザＩＤ・パスワードテーブルと対応付けられたＵＳＢメモリ識別情報記憶テーブルの一例を示す図。
【図１２】本発明の第２実施例を適用した複合装置によるユーザ認証とＵＳＢメモリ認証による読み取りデータ機密制御処理を示すフローチャート。
【図１３】本発明の第３実施例を適用した複合装置のＮＶＲＡＭに登録される使用可能時間設定テーブルの一例を示す図。
【図１４】本発明の第３実施例を適用した複合装置による使用可能時間制御処理を示すフローチャート。
【符号の説明】
【０１１２】
１  複合装置
２  ＣＰＵ
３  ＲＯＭ
４  ＲＡＭ制御部
５  ＲＡＭ
６  ＮＶＲＡＭ
７  スキャナエンジン
８  プリンタエンジン
９  ＦＡＸ制御部
１０  ＮＣＵ
１１  ホストＩ／Ｆ制御部
１２  ＲＴＣ
１３  操作部Ｉ／Ｆ制御部
１４  操作部
１５  ＵＳＢホスト制御部
１６  バス
ＨＳ  外部ホスト装置
２１  テンキー
２２  スタートキー
２３  クリア／ストップキー
２４  リセットキー
２５  初期設定キー
２６  コピーキー
２７  プリンタキー
２８  スキャナキー
２９  選択キー
３０  表示部
４０  全体制御部
４１  スキャナ読み取り制御部
４２  データ蓄積制御部
４３  ＵＳＢホスト制御部
Ｔｂ１  音声出力タイミング設定テーブル
Ｔｂ２  使用禁止ＵＳＢメモリ情報テーブル
Ｔｂ３  参照情報ビット定義テーブル
Ｔｂ４  ユーザＩＤ・パスワードテーブル
Ｔｂ５  ＵＳＢメモリ識別情報記憶テーブル
Ｔｂ６  使用可能時間設定テーブル
【図１】
2008263289.tif 000003
【図２】
2008263289.tif 000004
【図３】
2008263289.tif 000005
【図４】
2008263289.tif 000006
【図５】
2008263289.tif 000007
【図６】
2008263289.tif 000008
【図７】
2008263289.tif 000009
【図８】
2008263289.tif 000010
【図９】
2008263289.tif 000011
【図１０】
2008263289.tif 000012
【図１１】
2008263289.tif 000013
【図１２】
2008263289.tif 000014
【図１３】
2008263289.tif 000015
【図１４】
2008263289.tif 000016